(57)【要約】採血装置は、遠位端、近位端、およびそれらの間に延びる管腔を含み得るコネクタを含み得る。遠位端は、カテーテルアダプターの近位端に結合するように構成された雄型ルアーロックフィッティングを含み得、近位端は、雄型ルアースリップフィッティングを含み得る。採血装置は、本体、クロージャー、および本体をクロージャーに接続するテザーを含み得る蓋を含み得る。本体は、カバー部分と、カバー部分から延びる内壁とを含み得る。内壁は、カバー部分を通って延びる開口と整列させることができる。内壁および開口部は、雄型ルアースリップフィッティングを受け入れるように構成されたチャネルを形成し得る。
2021534943.tif 000002
【特許請求の範囲】
【請求項１】
遠位端、近位端、およびそれらの間に延びる管腔を含むコネクタであって、前記遠位端がカテーテルアダプターの近位端に結合するように構成された雄型ルアーロックフィッティングを含み、前記近位端が雄型ルアースリップフィッティングを含む、コネクタを備える採決装置。
【請求項２】
採血管用の蓋をさらに備え、
前記蓋は、
カバー部分およびカバー部分から延びる内壁を有する本体であって、前記内壁が前記カバー部分を通って延びる開口と整列され、前記内壁および前記開口が雄型ルアースリップフィッティングを受け入れるように構成されたチャネルを形成する、前記本体と、
クロージャーであって、前記クロージャーが閉位置にあるときに、前記チャネルの内側に適合し、前記チャネルの円周に接触する環状フランジを含む、前記クロージャーと、
前記本体を前記クロージャーに接続するテザー（tether）と、
を含む、請求項１に記載の採血装置。
【請求項３】
前記環状フランジが、前記チャネルの円周よりも小さい外周を含む、請求項２に記載の採血装置。
【請求項４】
前記環状フランジが、前記チャネルの円周よりも大きい、または前記チャネルの円周とほぼ同じサイズの外周を含む、請求項２に記載の採血装置。
【請求項５】
前記本体が、ほぼ円筒形の外壁をさらに含み、
前記クロージャーが、別の環状フランジをさらに含み、
前記他の環状フランジが、前記クロージャーが閉位置にあるときに前記外壁の外周に接触する、請求項２に記載の採血装置。
【請求項６】
前記別の環状フランジが、前記外壁の外周よりも大きい内周を含む、請求項５に記載の採血装置。
【請求項７】
前記別の環状フランジが、前記外壁の外周以下の内周を含む、請求項５に記載の採血装置。
【請求項８】
前記内壁は、前記雄型ルアースリップフィッティングを受け入れるために先細になっている、請求項２に記載の採血装置。
【請求項９】
前記本体が、ほぼ円筒形の外壁をさらに含み、
前記外壁の内面が、前記蓋の中心軸にほぼ平行に延びる複数の溝を含む、請求項２に記載の採血装置。
【請求項１０】
前記カバー部分の外面がほぼ平面である、請求項２に記載の採血装置。
【請求項１１】
前記内壁と前記外壁との間に配置された前記カバー部分の内面は、概して平面である、請求項２に記載の採血装置。
【請求項１２】
前記本体が、ほぼ円筒形の外壁をさらに含み、前記蓋に結合された前記採血管をさらに含み、
前記採血管が、前記採血管の空洞への開口部を形成するリムを含み、
前記内壁は前記開口部を通って延在し、
前記リムは前記本体の前記外壁の内面に接触する、請求項２に記載の採血装置。
【請求項１３】
前記外壁の内面が、前記蓋の中心軸にほぼ平行に延びる複数の溝を含み、
前記複数の溝が空気を透過するが血液は透過しない、請求項１２に記載の採血装置。
【請求項１４】
採血管用の蓋であって、
前記蓋は、
カバー部分およびカバー部分から延びる内壁を有する本体であって、前記内壁が前記カバー部分を通って延びる開口と整列され、前記内壁および前記開口がチャネルを形成する前記本体と、
クロージャーであって、前記本体を前記クロージャーに接続するテザー（tether）と、前記クロージャーであって、前記クロージャーが閉位置にあるときに、前記チャネルの内側に適合し、前記チャネルの円周に接触する環状フランジを含む、前記クロージャーと、
を含む採血装置。
【請求項１５】
前記内壁が先細になっている、請求項１４に記載の採血装置。
【請求項１６】
前記本体が、ほぼ円筒形の外壁をさらに含み、
前記クロージャーが、別の環状フランジをさらに含み、
前記別の環状フランジが、前記クロージャーが閉位置にあるときに前記外壁の外周に接触する、請求項１４に記載の採血装置。
【請求項１７】
前記外壁の内面が、前記蓋の中心軸にほぼ平行に延びる複数の溝を含む、請求項１６に記載の採血装置。
【請求項１８】
前記蓋に結合された前記採血管をさらに含み、
前記採血管が、前記採血管の空洞への開口部を形成するリムを含み、
前記内壁は前記開口部を通って延在し、
前記リムは前記本体の前記外壁の内面に接触する、請求項１６に記載の採血装置。
【請求項１９】
前記外壁の内面が、前記蓋の中心軸にほぼ平行に延びる複数の溝を含み、
前記複数の溝が空気を透過するが血液は透過しない、請求項１８に記載の採血装置。
【請求項２０】
遠位端、近位端、およびその間に延びる管腔を含むコネクタをさらに備え、
前記遠位端は、カテーテルアダプターの近位端に結合するように構成された雄型ルアーロックフィッティングを含み、
前記近位端は、前記蓋が前記コネクタに結合されている雄型ルアースリップフィッティングを含む、請求項１４に記載の集血装置。
【発明の詳細な説明】
【技術分野】
【０００１】
本発明は、採血装置やそのシステムおよび採血の方法に関する。
【背景技術】
【０００２】
ＶＡＣＵＴＡＩＮＥＲ（登録商標）採血管は、チューブの内部を真空にし、患者からの所定量の血液の採取を容易にするゴム栓付きの滅菌ガラスまたはプラスチック試験管を含み得る。患者から採血するために、両端の針を使用することができる。針の近位端はホルダーの内側に配置することができ、針の遠位端は患者の静脈に挿入することができる。ＶＡＣＵＴＡＩＮＥＲ（登録商標）採血管がホルダーに挿入されると、ゴム栓が針の近位端によって穿刺され、チューブ内の真空が針を通して血液を管に引き込む可能性がある。次に、充填されたチューブを取り外し、同じ方法で別のチューブを挿入して充填することができる。
【０００３】
この採血方法は、金属製の針とゴム栓のコストが掛かるため、費用が嵩む可能性がある。さらに、針は臨床医に危険をもたらす可能性がある。一部の市場の臨床医は、コストやその他の要因により、ＶＡＣＵＴＡＩＮＥＲ（登録商標）アプローチを使用しない場合があり、血液曝露のリスクを高めるより危険な慣行に訴える場合がある。安全で費用対効果の高い採血システムと方法が必要である。
【０００４】
本明細書で請求される主題は、あらゆる不利益を解決する実施形態、または上述のような環境下だけで動作する実施形態に限定されない。むしろ、この背景技術は、本明細書で説明される、ある実装の実施できる一例の技術領域を説明するためにのみ提供される。
【発明の概要】
【０００５】
本開示は、一般に、採血装置および関連する方法に関する。いくつかの実施形態では、採血装置は、コネクタを含み得る。いくつかの実施形態では、コネクタは、遠位端、近位端、およびそれらの間に延びる管腔を含み得る。いくつかの実施形態では、遠位端は、カテーテルアダプターの近位端に結合するように構成された雄型ルアーロックフィッティングを含み得、これは、雌型ルアーフィッティングを含み得る。いくつかの実施形態では、コネクタの近位端は、雄型ルアースリップフィッティングを含み得る。
【０００６】
いくつかの実施形態では、採血装置は、採血管のための蓋を含み得る。いくつかの実施形態では、蓋は、カバー部分およびカバー部分から延びる内壁を含み得る本体を含み得る。いくつかの実施形態では、内壁は、カバー部分を通って延びる開口と整列させることができる。いくつかの実施形態では、内壁および開口は、コネクタの雄型ルアースリップフィッティングを受け入れるように構成されたチャネルを形成し得る。いくつかの実施形態では、内壁は、コネクタの雄型ルアースリップフィッティングを受け入れるために先細に形成され得る。
【０００７】
いくつかの実施形態では、蓋は、クロージャーおよび／または本体をクロージャーに接続するテザー（tether）を含み得る。いくつかの実施形態では、クロージャーは、クロージャーが閉位置にあるときにチャネルの内側に適合し、チャネルの円周に接触し得る環状フランジを含み得る。いくつかの実施形態では、環状フランジは、チャネルの円周よりも小さい外周を含み得る。いくつかの実施形態では、環状フランジは、チャネルの円周よりも大きい、またはチャネルの円周とほぼ同じサイズの外周を含み得る。
【０００８】
いくつかの実施形態では、蓋の本体は、概して円筒形の外壁を含み得る。いくつかの実施形態では、クロージャーは、クロージャーが閉位置にあるときに外壁の外周に接触し得る別の環状フランジを含み得る。いくつかの実施形態では、他の環状フランジは、外壁の外周よりも大きい内周を含み得る。いくつかの実施形態では、他の環状フランジは、外壁の外周以下の内周を含み得る。
【０００９】
いくつかの実施形態では、カバー部分の外面は、概して平面であり得る。
いくつかの実施形態では、内壁と外壁との間に配置されたカバー部分の内面は、概して平面であり得る。
【００１０】
いくつかの実施形態では、採血装置は、蓋に結合された採血管を含み得る。いくつかの実施形態では、採血管は、採血管の空洞への開口部を形成するリムを含み得る。いくつかの実施形態では、内壁は、開口部を通って延びることができる。いくつかの実施形態では、リムは、本体の外壁の内面に接触することができる。いくつかの実施形態では、外壁の内面は、１つまたは複数の溝を含み得、これは、蓋の中心軸にほぼ平行に延びることができる。いくつかの実施形態では、溝は、空気を透過するが、血液は透過しない場合がある。
【００１１】
前述の一般的な説明および以下の詳細な説明は、両方とも例示的且つ説明的であり、特許請求の範囲と同様に、本発明を限定しないと理解される。さまざまな実施形態は、図面に図示される配置および手段に限定されないことを理解されたい。また、実施形態を組み合わせることができ、または他の実施形態を利用することができ、そうであると主張されない限り、本発明のさまざまな実施形態の範囲から逸脱することなく構造変更をすることができることを理解されたい。したがって、以下の詳細な説明は、限定的な意味で解釈されるべきではない。
【図面の簡単な説明】
【００１２】
例示的な実施形態は、添付の図面を使用することにより、具体的且つ詳細に記載および説明されることとなる。
【図１Ａ】図１Ａは、いくつかの実施形態による、例示的なカテーテルシステムの上方斜視図である。
【図１Ｂ】図１Ｂは、いくつかの実施形態による、図１Ａの蓋の斜視図である。
【図１Ｃ】図１Ｃは、いくつかの実施形態による、図１Ａの線１Ｃ〜１Ｃに沿った図１Ａの蓋の断面図である。
【図１Ｄ】図１Ｄは、いくつかの実施形態による、閉位置にある図１Ａの蓋の上面斜視図である。
【図２Ａ】図２Ａは、例示的な採血管に結合された図１Ａの蓋の上面斜視図であり、いくつかの実施形態による、開位置での蓋の例示的な閉鎖を示している。
【図２Ｂ】図２Ｂは、いくつかの実施形態による、図２Ａの線２Ｂ〜２Ｂに沿った図２Ａの蓋および採血管の断面図である。
【図２Ｃ】図２Ｃは、図２Ａの線２Ｂ〜２Ｂに沿った図２Ａの蓋および採血管の断面図であり、いくつかの実施形態による、閉位置での閉鎖を示している。
【図２Ｄ】図２Ｄは、いくつかの実施形態による、図２Ａの線２Ｄ〜２Ｄに沿った図２Ａの蓋および採血管の断面図である。
【図３Ａ】図３Ａは、いくつかの実施形態による、例示的な採血装置の分解図である。
【図３Ｂ】図３Ｂは、いくつかの実施形態による、図１Ａの蓋、コネクタの例、および一緒に結合されたカテーテルアダプターの例を示す断面図である。
【図４】図４は、いくつかの実施形態による、第２の環状フランジを有する図１Ａの蓋の上面斜視図である。
【発明を実施するための形態】
【００１３】
ここで図１Ａ〜１Ｄを参照すると、いくつかの実施形態では、採血管用の蓋１０は、カバー部分１４およびカバー部分１４から延びる内壁１６を含み得る、本体１２を含み得る。いくつかの実施形態では、内壁１６は、カバー部分１４を通って延びる開口１８と整列させることができる。いくつかの実施形態では、内壁１６および開口１８は、コネクタの雄型ルアースリップフィッティングを受け入れるように構成され得る、チャネル２０を形成し得る。いくつかの実施形態では、内壁１６は、コネクタの雄型ルアースリップフィッティングを受け入れるために先細に形成され得る。いくつかの実施形態では、内壁１６は先細になっていなくてもよい。
【００１４】
いくつかの実施形態では、蓋１０は、クロージャー２２および／または本体１２をクロージャー２２に接続するテザー（tether）２４を含み得る。いくつかの実施形態では、クロージャー２２は、例えば図２Ｄに示されるように、クロージャー２２が閉位置にあるときにチャネル２０の内側に適合し、チャネル２０の円周に接触し得る環状フランジ２６を含み得る。いくつかの実施形態では、環状フランジ２６は、チャネル２０の円周よりも小さい外周を含み得る。いくつかの実施形態では、環状フランジ２６は、チャネル２０の円周よりも大きい、またはチャネル２０の円周とほぼ同じサイズの外周を含み得、その結果、環状フランジ２６は、締まり嵌めでチャネル２０内に固定される。
【００１５】
いくつかの実施形態では、蓋１０の本体１２は、概して円筒形の外壁２８を含み得る。いくつかの実施形態では、テザー２４は、外壁２８および／またはカバー部分１４から延びることができる。いくつかの実施形態では、カバー部分１４の外面は、概して平面であり得る。いくつかの実施形態では、内壁１６と外壁２８との間に配置されたカバー部分の内面は、概して平面であり得る。
【００１６】
図１Ｃに示されるように、いくつかの実施形態では、外壁２８の内面は、１つまたは複数の溝３２を含み得、これは、蓋１０の中心軸３４にほぼ平行に延びることができる。いくつかの実施形態では、溝（grooves）３２は通気孔として機能し得、溝３２は空気を透過するが血液は透過しないような寸法を有することができる。
【００１７】
ここで図４を参照すると、いくつかの実施形態では、蓋１０のクロージャー２２は、クロージャー２２が閉位置にあるときに外壁２８の外周に接触し得る別の環状フランジ３０を含み得る。いくつかの実施形態では、他の環状フランジ３０は、外壁２８の外周よりも大きい内周を含み得る。いくつかの実施形態では、他の環状フランジ３０は、外壁の外周以下の内周を含み得る。
【００１８】
ここで図２Ａ〜２Ｄを参照すると、いくつかの実施形態では、採血装置３６は、蓋１０および／または採血管３８を含み得る。いくつかの実施形態では、採血管３８は、蓋１０に結合され得る。いくつかの実施形態では、採血管３８は、採血管３８の空洞４４への開口部４２を形成するリム４０を含み得る。いくつかの実施形態では、リム４０は環状であり得る。いくつかの実施形態では、蓋１０の内壁１６は、例えば、図１Ｃに示されるように、外壁２８と同じ距離、または例えば、図２Ｂ〜２Ｃに示されるように、異なる距離だけ延びることができる。
【００１９】
いくつかの実施形態では、本体１２の内壁１６は、開口部４２を通って延びることができる。いくつかの実施形態では、リム４０は、本体１２の外壁２８の内面に接触することができる。図２Ｄは、いくつかの実施形態による、蓋の中心軸に概ね平行であり得る溝３２を示している。いくつかの実施形態では、空気は、採血装置３６の外部と採血管３８の空洞４４との間を溝３２を介して通過することができるが、溝３２は、空洞４４からの血液の漏出を防ぐために血液を透過しないことがある。
【００２０】
図２Ｃは、いくつかの実施形態による、閉位置にある蓋１０を示している。いくつかの実施形態では、環状フランジ２６は、蓋１０が閉位置にあるときに、チャネル２０の内側に適合し、チャネル２０の円周に接触することができる。例えば、環状フランジ２６は、開口１８の円周および／または内壁１６の円周の内側に適合し、接触することができる。
【００２１】
ここで図３Ａ〜３Ｂを参照すると、いくつかの実施形態では、採血装置３６は、コネクタ４６および／またはカテーテルアダプター４７を含み得る。いくつかの実施形態では、コネクタ４６は、遠位端４８、近位端５０、およびそれらの間に延びる管腔５２を含み得る。いくつかの実施形態では、遠位端４８は、例えば図３Ｂに示されるように、カテーテルアダプター４７の近位端に結合するように構成された雄型ルアーロックフィッティング５６を含み得る。いくつかの実施形態では、カテーテルアダプター４７の近位端は、雌型のルアーフィッティングを含み得る。いくつかの実施形態では、近位端５０は、雄型ルアースリップフィッティング５８を含み得る。
【００２２】
いくつかの実施形態では、雄型ルアーロックフィッティング５６は、カテーテルアダプター４７または別の医療機器とシールを形成して、流体の漏れを防止することができる。いくつかの実施形態では、雄型ルアースリップフィッティング５８は、雄型ルアースリップフィッティング５８がチャネル２０に挿入されるときに、蓋１０を密封することができる。いくつかの実施形態では、雄型ルアーロックフィッティング５６は、カテーテルアダプター４７との密封された接続を形成し得るねじ切りを含み得る。いくつかの実施形態では、雄型ルアースリップフィッティング５８は、漏斗として機能し、血液の流出または飛沫を低減または排除しながら、血液を採血管３８に導くことを可能にし得る。
【００２３】
いくつかの実施形態では、カテーテルアダプター４７は、当技術分野で知られている任意のカテーテルアダプターを含み得る。いくつかの実施形態では、カテーテルアダプター４７は、セプタム（septum）６０および／またはセプタムアクチュエータ６２を含み得る。他の実施形態では、雄型ルアースリップフィッティング５６は、セプタムアクチュエータとして機能し得る。いくつかの実施形態において、カテーテル６４は、カテーテルアダプター４７の遠位端から遠位に延びてもよい。いくつかの実施形態では、カテーテル５９は、末梢静脈内カテーテルを含み得る。
【００２４】
いくつかの実施形態では、カテーテル６４およびカテーテルアダプター４７は、様々な注入療法に使用することができる。例えば、カテーテル６４およびカテーテルアダプター４７は、通常の生理食塩水、様々な薬剤、および完全非経口栄養などの流体を患者に注入するために使用され得る。いくつかの実施形態では、カテーテル６４およびカテーテルアダプター４７はまた、患者から血液を採取するために使用され得る。
【００２５】
いくつかの実施形態では、カテーテル６４は、鋭い遠位先端（図示せず）を有する導入針の上に取り付けられ得る、針上の末梢静脈内カテーテル（「ＰＩＶＣ」）を含み得る。いくつかの実施形態では、カテーテル６４および導入針は、導入針の遠位先端がカテーテル６４の遠位先端を越えて延伸し、針の斜面を患者の皮膚から離れる方向を向くように（皮膚の反対の仰向けの状態になるように）組み立てられることができる。いくつかの実施形態では、カテーテル６４および導入針は、皮膚を通して患者の血管系に浅い角度で挿入され得る。
【００２６】
導入針および／またはカテーテル６４が静脈内に適切に配置されていることを確認するために、ユーザーは一般に、血液の「フラッシュバック」があることを確認する。針の配置が確認されたら、ユーザーは一時的に静脈内の流れを遮断し、導入針を取り外して、カテーテル６４を静脈内の所定の位置に残すことができる。いくつかの実施形態では、カテーテル６４が静脈内に配置され、導入針が引き抜かれた後、蓋１０がカテーテルアダプター４７に結合され得、血液が採血管３８に収集され得る。
【００２７】
前述の一般的な説明および以下の詳細な説明は、両方とも例示的且つ説明的であり、特許請求の範囲と同様に、本発明を限定しないと理解される。さまざまな実施形態は、図面に図示される配置および手段に限定されないことを理解されたい。また、実施形態を組み合わせることができ、または他の実施形態を利用することができ、そうであると主張されない限り、本発明のさまざまな実施形態の範囲から逸脱することなく構造変更をすることができることを理解されたい。したがって、以下の詳細な説明は、限定的な意味で解釈されるべきではない。
【００２８】
本明細書に列挙されたすべての例示および条件付きの用語は、本発明、および本発明者が本技術を促進することによって寄与される概念を理解することを読み手に助力する教育学的な目的を意図しており、それらは、そのような具体的に列挙された例示および条件に限定されていないものと解釈されるべきである。本発明の実施形態を詳細に説明してきたが、本発明の精神および範囲から逸脱することなく、さまざまな変更、置換、および代替を行うことができることを理解されたい。
【図１Ａ】
2021534943.tif 000003
【図１Ｂ】
2021534943.tif 000004
【図１Ｃ】
2021534943.tif 000005
【図１Ｄ】
2021534943.tif 000006
【図２Ａ】
2021534943.tif 000007
【図２Ｂ】
2021534943.tif 000008
【図２Ｃ】
2021534943.tif 000009
【図２Ｄ】
2021534943.tif 000010
【図３Ａ】
2021534943.tif 000011
【図３Ｂ】
2021534943.tif 000012
【図４】
2021534943.tif 000013
【国際調査報告】
2021534943.tif 000014
2021534943.tif 000015
2021534943.tif 000016